(57)【特許請求の範囲】
【請求項１】
雌金具と雄金具とを備える差込式の消防用ホース結合金具において、
前記雌金具は、消防用ホースに接続可能な受け金具と、略円筒状の筒部を有し前記受け金具に取り付けられる締め輪と、前記締め輪の前記筒部の内周側に取り付けられるツメ座と、前記ツメ座の内周面から前記ツメ座の径方向の内方へ突出して前記雄金具に係合する結合ツメとを備え、
前記受け金具は、前記雄金具と前記雌金具との結合時の水漏れを防止するシール部材が配置される略円筒状のシール配置部と、前記シール配置部の内径よりも内径の小さな略円筒状に形成され前記雌金具の先端側への前記シール部材の抜けを防止する抜け防止部とを備え、
前記抜け防止部は、前記雌金具の先端側から見たときに前記ツメ座の奥側に配置され、
前記抜け防止部の内周側には、前記雌金具の先端側から基端側に向かってその内径が小さくなる傾斜面が形成されるとともに、前記雌金具の軸方向における前記抜け防止部の内周側の基端側には、その内径が略一定な円筒面が前記雌金具の軸方向における前記傾斜面の基端に繋がるように形成され、
前記雌金具の軸方向における前記傾斜面の先端の内径は、前記ツメ座の内径と略等しくなっており、
前記雌金具の軸方向における前記傾斜面の基端の内径は、前記円筒面の内径と等しくなっており、
前記雌金具の軸方向における前記傾斜面の基端の内径および前記円筒面の内径は、前記ツメ座の内径よりも小さく、かつ、前記雄金具の先端部の外周面の外径よりも大きくなっており、
前記雌金具の軸方向における前記傾斜面の幅は、前記雌金具の軸方向における前記円筒面の幅よりも広くなっており、
前記雌金具の軸方向に対する前記傾斜面の傾斜角度は、前記雄金具の先端部の外周面の、前記雄金具の軸方向に対する傾斜角度よりも大きくなっていることを特徴とする消防用ホース結合金具。
【請求項２】
前記雌金具の軸方向における前記傾斜面の基端の内径は、平成４年自治省令第２号「消防用ホースに使用する差込式の結合金具の技術上の規格を定める省令」で規定される規格値となっており、
前記雌金具の軸方向における前記傾斜面の先端の内径は、前記平成４年自治省令第２号で規定される規格値よりも大きくなっていることを特徴とする請求項１記載の消防用ホース結合金具。
【請求項３】
前記傾斜面は、前記雌金具の軸方向における前記抜け防止部の先端から前記雌金具の基端側に向かってその内径が次第に小さくなる略円錐台状に形成されていることを特徴とする請求項１または２記載の消防用ホース結合金具。
【請求項４】
前記締め輪は、前記雌金具の先端に配置される略円環状の差込部を備え、
前記差込部は、前記雌金具の先端側から見たときに前記ツメ座の手前側に配置されていることを特徴とする請求項３記載の消防用ホース結合金具。
【請求項５】
前記締め輪は、前記雌金具の先端に配置される略円環状の差込部を備え、
前記差込部は、前記雌金具の先端側から見たときに前記ツメ座の手前側に配置され、
前記差込部の内径は、前記ツメ座の内径以下となっていることを特徴とする請求項１から４のいずれかに記載の消防用ホース結合金具。
【請求項６】
前記締め輪は、前記雌金具の先端に配置される略円環状の差込部を備え、
前記差込部は、前記雌金具の先端側から見たときに前記ツメ座の手前側に配置され、
前記差込部の内径は、前記ツメ座の内径と略等しくなっていることを特徴とする請求項１から４のいずれかに記載の消防用ホース結合金具。
【発明の詳細な説明】
【技術分野】
【０００１】
本発明は、複数の消防用ホース同士を連結したり、消防用ホースと消火栓弁とを連結するための差込式の消防用ホース結合金具に関する。
【背景技術】
【０００２】
従来、複数の消防用ホース同士を連結する消防用ホース結合金具として、消防用ホースの端部に接続される雌金具と、消防用ホースの端部に接続されるとともに雌金具が着脱自在に差し込まれる雄金具とから構成される差込式の消防用ホース結合金具が知られている（たとえば、特許文献１参照）。
【０００３】
特許文献１に記載の消防用ホース結合金具では、雌金具は、消防用ホースに取り付けられる受け金具と、受け金具の先端側にねじ固定された締め輪と、締め輪の内周側に配置されるツメ座と、ツメ座の内周面から径方向内側へ突出する結合ツメと、結合ツメをツメ座の径方向内側に向かって付勢する板バネとを備えている。受け金具の内周側には、Ｕパッキンを配置するためのシール配置部と、シール配置部に配置されたＵパッキンの抜けを防止する抜け防止部とが形成されている。抜け防止部は、雌金具の先端側から見たときにツメ座の奥側に配置されている。
【先行技術文献】
【特許文献】
【０００４】
【特許文献１】特開２００５−１４７３７０号公報
【発明の概要】
【発明が解決しようとする課題】
【０００５】
近年、消防用ホース結合金具の市場では、その操作性を向上させるため、雄金具への雌金具の差込が容易な消防用ホース結合金具へのニーズが高まっている。
【０００６】
そこで、本形態の課題は、雄金具への雌金具の差込を容易に行うことが可能な消防用ホース結合金具を提供することにある。
【課題を解決するための手段】
【０００７】
上記の課題を解決するため、本願発明者は、種々の検討を行った。本願発明者は、まず、結合ツメの形状や板バネの付勢力が雄金具への雌金具の差込性に大きな影響を及ぼすと推測して、結合ツメの形状や板バネの付勢力について、種々の検討を行った。しかしながら、結合ツメの形状や板バネの付勢力を変えても、雄金具への雌金具の差込性は、それほど改善されなかった。そこで、本願発明者は、更なる検討を行った。その結果、雌金具の先端側から見たときにツメ座の奥側に配置されるシール部材の抜け防止部の形状が雄金具への雌金具の差込性に大きな影響を及ぼしていることを知見するに至った。
【０００８】
本発明の消防用ホース結合金具は、かかる新たな知見に基づくものであり、雌金具と雄金具とを備える差込式の消防用ホース結合金具において、雌金具は、消防用ホースに接続可能な受け金具と、略円筒状の筒部を有し受け金具に取り付けられる締め輪と、締め輪の筒部の内周側に取り付けられるツメ座と、ツメ座の内周面からツメ座の径方向の内方へ突出して雄金具に係合する結合ツメとを備え、受け金具は、雄金具と雌金具との結合時の水漏れを防止するシール部材が配置される略円筒状のシール配置部と、シール配置部の内径よりも内径の小さな略円筒状に形成され雌金具の先端側へのシール部材の抜けを防止する抜け防止部とを備え、抜け防止部は、雌金具の先端側から見たときにツメ座の奥側に配置され、抜け防止部の内周側には、雌金具の先端側から基端側に向かってその内径が小さくなる傾斜面が形成されるとともに、雌金具の軸方向における抜け防止部の内周側の基端側には、その内径が略一定な円筒面が雌金具の軸方向における傾斜面の基端に繋がるように形成され、雌金具の軸方向における傾斜面の先端の内径は、ツメ座の内径と略等しくなっており、雌金具の軸方向における傾斜面の基端の内径は、円筒面の内径と等しくなっており、雌金具の軸方向における傾斜面の基端の内径および円筒面の内径は、ツメ座の内径よりも小さく、かつ、雄金具の先端部の外周面の外径よりも大きくなっており、雌金具の軸方向における傾斜面の幅は、雌金具の軸方向における円筒面の幅よりも広くなっており、雌金具の軸方向に対する傾斜面の傾斜角度は、雄金具の先端部の外周面の、雄金具の軸方向に対する傾斜角度よりも大きくなっていることを特徴とする。
【０００９】
本発明の消防用ホース結合金具では、雌金具の先端側から見たときにツメ座の奥側に配置される抜け防止部の内周側には、雌金具の先端側から基端側に向かってその内径が小さくなる傾斜面が形成されている。また、本発明では、抜け防止部の内周側に形成される傾斜面の、雌金具の軸方向に対する傾斜角度は、雄金具の先端部の外周面の、雄金具の軸方向に対する傾斜角度よりも大きくなっている。そのため、雄金具への雌金具の差込時に、抜け防止部と雄金具との接触面積を減らすことができ、抜け防止部と雄金具との接触抵抗を低減することが可能になる。したがって、本発明では、雄金具への雌金具の差込を容易に行うことが可能になる。また、本発明では、雌金具の軸方向における傾斜面の先端の内径が、ツメ座の内径と略等しくなっているため、雄金具への雌金具の差込時に、結合ツメを通過した後の雄金具の先端面と、傾斜面の先端との接触を防止しやすくなる。
【００１０】
また、本発明では、雌金具の軸方向における抜け防止部の内周側の基端側に、その内径が略一定な円筒面が雌金具の軸方向における傾斜面の基端に繋がるように形成され、円筒面の内径は、ツメ座の内径よりも小さくなっているため、結合状態の雄金具や雌金具に、軸方向に直交する方向の曲げ荷重が働いても、雄金具の外周面が円筒面に当接して、雌金具に対して雄金具が曲がりにくくなる。したがって、雄金具への雌金具の差込が容易であっても、結合状態の雄金具や雌金具に曲げ荷重が働いたときの水漏れを防止することが可能になる。すなわち、消防用ホース結合金具に曲げ荷重が作用したときの耐圧性を確保することが可能になる。さらに、本発明では、雌金具の軸方向における傾斜面の幅は、雌金具の軸方向における円筒面の幅よりも広くなっているため、抜け防止部の内周側に円筒面が形成されている場合であっても、傾斜面の角度を緩やかにすることが可能になる。したがって、抜け防止部の傾斜面で雄金具が引っ掛かりにくくなり、雄金具への雌金具の差込をより容易に行うことが可能になる。
【００１１】
本発明において、雌金具の軸方向における傾斜面の基端の内径は、平成４年自治省令第２号「消防用ホースに使用する差込式の結合金具の技術上の規格を定める省令」で規定される規格値となっており、雌金具の軸方向における傾斜面の先端の内径は、平成４年自治省令第２号で規定される規格値よりも大きくなっていることが好ましい。このように構成すると、傾斜面の基端の内径が、平成４年自治省令第２号で規定される規格値となっているため、抜け防止部によってシール部材を適切に保持することが可能になり、雄金具と雌金具との結合時の水漏れを防止することが可能になる。また、このように構成すると、雌金具の軸方向における傾斜面の先端の内径は、平成４年自治省令第２号で規定される規格値よりも大きくなっているため、雄金具への雌金具の差込時に、結合ツメを通過した後の雄金具の先端面と、傾斜面の先端との接触を防止しやすくなる。
【００１２】
本発明において、傾斜面は、雌金具の軸方向における抜け防止部の先端から雌金具の基端側に向かってその内径が次第に小さくなる略円錐台状に形成されていることが好ましい。このように構成すると、雄金具への雌金具の差込時に、結合ツメを通過した後の雄金具の先端面と、抜け防止部の先端面との接触を防止しやすくなる。また、このように構成すると、雌金具の基端側に向かってその内径が小さくなる凸曲面状に傾斜面が形成されている場合と比較して、雄金具への雌金具の差込時に、抜け防止部と雄金具との接触面積を減らしやすくなり、その結果、抜け防止部と雄金具との接触抵抗を低減しやすくなる。したがって、雄金具への雌金具の差込をより容易に行うことが可能になる。
【００１３】
本発明において、たとえば、締め輪は、雌金具の先端に配置される略円環状の差込部を備え、差込部は、雌金具の先端側から見たときにツメ座の手前側に配置されている。この場合には、抜け防止部の内周側に傾斜面が形成されている場合であっても、抜け防止部の先端面と差込部との間に配置されるツメ座を、抜け防止部の先端面で安定して保持することが可能になる。
【００１４】
本発明において、締め輪は、雌金具の先端に配置される略円環状の差込部を備え、差込部は、雌金具の先端側から見たときにツメ座の手前側に配置され、差込部の内径は、ツメ座の内径以下となっていることが好ましい。このように構成すると、雄金具への雌金具の差込時に、雄金具の先端面と、ツメ座の先端面との接触を防止することが可能になる。したがって、雄金具への雌金具の差込をより容易に行うことが可能になる。
【００１５】
本発明において、締め輪は、雌金具の先端に配置される略円環状の差込部を備え、差込部は、雌金具の先端側から見たときにツメ座の手前側に配置され、差込部の内径は、ツメ座の内径と略等しくなっていても良い。この場合には、雄金具への雌金具の差込時に、雄金具の先端面と、ツメ座の先端面との接触を防止しやすくなる。
【発明の効果】
【００１８】
以上のように、本発明の消防用ホース結合金具では、雄金具への雌金具の差込を容易に行うことが可能になる。
【図面の簡単な説明】
【００１９】
【図１】本発明の実施の形態にかかる消防用ホース結合金具の、雌金具と雄金具とが分離された状態の正面図である。
【図２】図１に示す消防用ホース結合金具の、雌金具と雄金具とが結合された状態の縦断面図である。
【図３】受け金具およびゴムタイヤを取り外した状態の雌金具を図１のＥ−Ｅ方向から示す図である。
【図４】図１に示す雌金具の縦断面図である。
【図５】図４のＦ部の拡大図である。
【図６】図１に示す消防用ホース結合金具の効果を説明するための図である。
【図７】本発明の他の実施の形態にかかる抜け防止部の内周面の構成を説明するための拡大断面図である。
【発明を実施するための形態】
【００２０】
以下、図面を参照しながら、本発明の実施の形態を説明する。
【００２１】
（消防用ホース結合金具の構成）
図１は、本発明の実施の形態にかかる消防用ホース結合金具１の、雌金具２と雄金具３とが分離された状態の正面図である。図２は、図１に示す消防用ホース結合金具１の、雌金具２と雄金具３とが結合された状態の縦断面図である。図３は、受け金具５およびゴムタイヤ１２を取り外した状態の雌金具２を図１のＥ−Ｅ方向から示す図である。図４は、図１に示す雌金具２の縦断面図である。
【００２２】
本形態の消防用ホース結合金具１（以下、「結合金具１」とする。）は、複数の消防用ホース同士を連結したり、消防用ホースと消火栓弁とを連結するための差込式の結合金具である。この結合金具１は、図１に示すように、消防用ホースＨの端部等に接続される雌金具２と、消防用ホースＨの端部等に接続されるとともに、雌金具２が着脱自在に差し込まれる雄金具３とから構成されている。本形態では、分離状態の雌金具２が図１等のＸ２方向へ差し込まれて雌金具２と雄金具３とが結合され、結合状態の雌金具２がＸ１方向へ抜き取られて雌金具２と雄金具３とが分離される。なお、雌金具２と雄金具３とは、それぞれの軸方向が略一致するように、互いに結合される。
【００２３】
雌金具２は、消防用ホースＨに接続可能な受け金具５と、略円筒状の筒部６ａを有し受け金具５の先端側（図１の左端側）に着脱可能に取り付けられる締め輪６と、締め輪６の筒部６ａの内周側に取り付けられるツメ座７と、ツメ座７の内周面から径方向の内側へ突出して雄金具３に係合する３個の結合ツメ８と、結合ツメ８を径方向の内方へ付勢する付勢部材９とを備えている。なお、以下の雌金具２の説明では、Ｘ２方向側を「先端」側、Ｘ１方向側を「基端」側とする。
【００２４】
受け金具５は、消防用ホースＨに差し込まれる略円筒状のホース接続部５ａと、ホース接続部５ａに連なる略円筒状の受け口部５ｂとから構成されている。図２、図４に示すように、受け口部５ｂは、受け金具５の先端側に形成されている。また、受け口部５ｂの外径、内径のそれぞれは、ホース接続部５ａの外径、内径よりも大きくなっている。
【００２５】
受け口部５ｂは、雌金具２と雄金具３との結合時の水漏れを防止するシール部材としてのＵパッキン１１が配置される略円筒状のシール配置部５ｃと、先端側へのＵパッキン１１の抜けを防止する抜け防止部５ｄとを備えている。シール配置部５ｃは、受け口部５ｂの基端側に配置されている。抜け防止部５ｄは、シール配置部５ｃの内径よりも内径の小さな略円筒状に形成されており、受け口部５ｂの先端部を構成している。受け口部５ｂの外周面の先端側には、締め輪６を取り付けるためのオネジが形成されている。
【００２６】
締め輪６は、上述の筒部６ａに加え、円環状かつ平板状に形成され筒部６ａに連なる円環部６ｂとから構成されている。筒部６ａは締め輪６の基端側に配置され、円環部６ｂは締め輪６の先端側に配置されている。筒部６ａの内周面の基端側には、受け口部５ｂのオネジに螺合するメネジが形成されている。また、筒部６ａの外周面には、保護用のゴムタイヤ１２が嵌め込まれている。円環部６ｂの内径は、筒部６ａの内径よりも小さくなっている。本形態の円環部６ｂは、雌金具２の先端に配置される差込部である。
【００２７】
ツメ座７は、鍔付の略円筒状に形成されており、円環状かつ平板状に形成された円環部７ａと、結合ツメ８に係合して径方向内方への結合ツメ８の突出量を規制する３個の係止部７ｂとから構成されている。円環部７ａは、ツメ座７の先端側に配置されている。係止部７ｂは、図３に示すように、円環部７ａの内周端から基端側に向かって突出するように形成されている。３個の係止部７ｂは、雌金具２の先端側から見たときに、その曲率中心が円環部７ａの曲率中心と一致する略円弧状に形成されている。また、３個の係止部７ｂは、円周方向に所定の間隔をあけた状態で等角度間隔に形成されており、係止部７ｂ間は、径方向内方へ突出する結合ツメ８が嵌め込まれる切欠部７ｃとなっている。円周方向における係止部７ｂの端部は、結合ツメ８に係合して径方向内方への結合ツメ８の突出量を規制する規制面７ｄとなっている。
【００２８】
円環部７ａの内径と係止部７ｂの内径とは等しくなっている。すなわち、ツメ座７の内径は、一定になっている。より具体的には、ツメ座７の内周面の先端部に形成される面取部７ｅ（図５参照）を除き、ツメ座７の内径は一定になっている。雌金具２の軸方向に対する面取部７ｅの傾斜角度は、約４５°である。なお、面取部７ｅは、形成されなくても良い。
【００２９】
結合ツメ８は、略円弧状に形成されたブロック部材である。この結合ツメ８は、切欠部７ｃから径方向内方へ突出する突出部８ａと、規制面７ｄに当接して径方向内方への結合ツメ８の突出量を規制する規制部８ｂとから構成されている。突出部８ａの内周面は、先端側から基端側に向かうにしたがって径方向内側に向かって膨らむ凸曲面状に形成されている。
【００３０】
図３に示すように、ツメ座７の切欠部７ｃに結合ツメ８の突出部８ａが嵌め込まれた状態で、ツメ座７は、締め輪６の筒部６ａの内周側に嵌め込まれている。ツメ座７が嵌め込まれた締め輪６は、受け口部５ｂの先端側に取り付けられており、ツメ座７は、雌金具２の軸方向において、抜け防止部５ｄと円環部６ｂとに挟まれた状態で、締め輪６の内部に収納されている。すなわち、雌金具の先端側から見たときに、抜け防止部５ｄはツメ座７の奥側に配置され、円環部６ｂはツメ座７の手前側に配置されている。
【００３１】
付勢部材９は、たとえば、２枚の板バネによって構成されており、結合ツメ８の円周方向における規制部８ｂの略中心に固定されている。この付勢部材９は、締め輪６の筒部６ａの内周面と結合ツメ８の規制部８ｂの外周面との間に配置されており、径方向内方に向かって結合ツメ８を付勢している。
【００３２】
雄金具３は、消防用ホースＨに接続可能な差し金具１７と、差し金具１７の外周側にスライド自在に取り付けられた押し輪１８とを備えている。なお、以下の雄金具３の説明では、Ｘ１方向側を「先端」側、Ｘ２方向側を「基端」側とする。
【００３３】
差し金具１７は、消防用ホースＨに差し込まれる略円筒状のホース接続部１７ａと、押し輪１８が外周側でスライドする円筒状のスライド部１７ｂと、結合ツメ８に係合する円筒状の係合突部１７ｃとから構成されている。スライド部１７ｂは、ホース接続部１７ａの先端側に連なるように形成されている。係合突部１７ｃは、スライド部１７ｂに連なるように、かつ、差し金具１７の先端側に形成されている。係合突部１７ｃの外径は、スライド部１７ｂの外径よりも大きく、かつ、受け金具５の抜け防止部５ｄの内径よりも小さくなっている。また、スライド部１７ｂの外周面および係合突部１７ｃの外周面は、雄金具３の軸方向と略平行になっている。
【００３４】
押し輪１８は、径方向外側に広がる鍔部１８ａを基端側に有する鍔付の略円筒状に形成されている。押し輪１８の内径は、スライド部１７ｂの外径よりも大きく、かつ、係合突部１７ｃの外径よりも小さくなっている。押し輪１８の外径は、係合突部１７ｃの外径よりも大きくなっている。また、押し輪１８の外径は、ツメ座７の円環部７ａの内径よりも小さくなっている。押し輪１８は、スライド部１７ｂの外周側に配置され、Ｘ１方向およびＸ２方向へスライド自在となっている。ホース接続部１７ａとスライド部１７ｂとの境界部分には、止め輪１９が配置されており、この止め輪１９によって、差し金具１７からの押し輪１８の抜けが防止されている。
【００３５】
（雌金具の具体的な構成）
図５は、図４のＦ部の拡大図である。
【００３６】
図５に示すように、抜け防止部５ｄの内周面は、雌金具２の先端側から基端側に向かって（すなわち、Ｘ１方向に向かって）その内径が小さくなる傾斜面５ｅと、その内径が略一定な円筒面５ｆとによって構成されている。すなわち、抜け防止部５ｄの内周側には、傾斜面５ｅと円筒面５ｆとが形成されている。
【００３７】
傾斜面５ｅは、抜け防止部５ｄの先端から基端側に向かってその内径が次第に小さくなる略円錐台状に形成されている。円筒面５ｆは、傾斜面５ｅの基端に繋がるように、抜け防止部５ｄの基端側に形成されている。すなわち、円筒面５ｆは、傾斜面５ｅの基端から抜け防止部５ｄの基端までの間に形成されている。雌金具２の軸方向における傾斜面５ｅの幅（Ｘ１方向における傾斜面５ｅの幅）は、雌金具２の軸方向における円筒面５ｆの幅（Ｘ１方向における円筒面５ｆの幅）よりも広くなっている。たとえば、雌金具２の軸方向における傾斜面５ｅの幅は、雌金具２の軸方向における円筒面５ｆの幅の約６倍となっている。
【００３８】
図５に示すように、傾斜面５ｅの先端の内径Ｄ１は、ツメ座７の内径（具体的には、面取部７ｅを除くツメ座７の内径）Ｄ２と略等しくなっている。一方、傾斜面５ｅの基端の内径（すなわち、円筒面５ｅの内径）Ｄ３は、ツメ座７の内径Ｄ２よりも小さくなっている。また、内径Ｄ３は、Ｕパッキン１１の先端側の内径よりもわずかに小さくなっている。また、本形態では、締め輪６の円環部６ｂの内径Ｄ４は、ツメ座７の内径Ｄ２と略等しくなっている。
【００３９】
なお、内径Ｄ２および内径Ｄ３は、平成４年自治省令第２号「消防用ホースに使用する差込式の結合金具の技術上の規格を定める省令」で規定される規格値となっている。一方、内径Ｄ１は、平成４年自治省令第２号で規定される規格値よりも大きくなっている。
【００４０】
上述のように、雄金具３の先端部を構成する係合突部１７ｃの外周面は、雄金具３の軸方向と略平行になっている。また、上述のように、傾斜面５ｅは、抜け防止部５ｄの先端から基端側に向かってその内径が次第に小さくなる略円錐台状に形成されている。すなわち、本形態では、雌金具２の軸方向に対する傾斜面５ｅの傾斜角度θは、雄金具３の先端部の外周面（係合突部１７ｃの外周面）の、雄金具３の軸方向に対する傾斜角度よりも大きくなっている。なお、傾斜面５ｅの傾斜角度θは、比較的緩やかな角度であり、たとえば、傾斜角度θは、約７°程度となっている。
【００４１】
（消防用ホース結合金具の着脱操作）
以上のように構成された結合金具１では、雌金具２と雄金具３とを結合するときには、押し輪１８をスライド部１７ｂの基端側に退避させた状態で、差し金具１７の係合突部１７ｃに雌金具２を差し込む。すると、ツメ座７の内周面から径方向内側へ突出している結合ツメ８の突出部８ａが係合突部１７ｃの先端に当接し、差し込まれる雌金具２の押圧力で、付勢部材９の付勢力に抗して結合ツメ８は、径方向外方へ押し広げられ、差し金具１７の先端側に雌金具２が差し込まれていく。差し金具１７の係合突部１７ｃが結合ツメ８を越える位置まで差し込まれると、突出部８ａが付勢部材９の付勢力で径方向内側へ戻り、係合突部１７ｃの基端側と突出部８ａの基端側とが係合する。係合突部１７ｃの基端側と突出部８ａの基端側とが係合することで、雌金具２と雄金具３とが結合される。
【００４２】
一方、雌金具２と雄金具３とを切り離すときには、押し輪１８をスライド部１７ｂの先端側へスライドさせる。すると、押し輪１８の先端がツメ座７の内周面から径方向内方へ突出している突出部８ａに当接して、結合ツメ８を径方向外方へ押し広げる。押し輪１８の外径は、係合突部１７ｃの外径よりも大きくなっているため、押し輪１８によって、結合ツメ８が径方向外方へ押し広げられると、係合突部１７ｃと突出部８ａとの係合が外れる。この状態で、雌金具２を雄金具３から引き抜くことで、雌金具２と雄金具３とが切り離される。
【００４３】
（本形態の主な効果）
以上説明したように、本形態では、係合突部１７ｃの外周面は、雄金具３の軸方向と略平行になっており、かつ、傾斜面５ｅは、雌金具２の軸方向に対して傾斜している。そのため、雄金具３への雌金具２の差込時に、係合突部１７ｃと傾斜面５ｅとが接触しても、図６の実線で示すように、係合突部１７ｃと傾斜面５ｅとの接触は、線接触となる。すなわち、本形態では、抜け防止部５ｄの内周面と雄金具３との接触面積を減らすことができ、抜け防止部５ｄと雄金具３との接触抵抗を低減することができる。したがって、本形態では、雄金具３への雌金具２の差込を容易に行うことが可能になる。
【００４４】
特に本形態では、傾斜面５ｅの先端の内径Ｄ１は、ツメ座７の内径Ｄ２と略等しくなっているため、雄金具３への雌金具２の差込時に、結合ツメ８を通過した後の係合突部１７ｃの先端面と、抜け防止部５ｄの先端面との接触を防止しやすくなる。したがって、本形態では、雄金具３への雌金具２の差込をより容易に行うことが可能になる。また、本形態では、円環部６ｂの内径Ｄ４は、ツメ座７の内径Ｄ２と略等しくなっているため、図６の二点鎖線で示すように、雄金具３への雌金具２の差込時に、係合突部１７ｃの先端面と、ツメ座７の先端面および面取部７ｅとの接触を防止することが可能になる。したがって、本形態では、雄金具３への雌金具２の差込をより容易に行うことが可能になる。
【００４５】
本形態では、雄金具３への雌金具２の差込時に、係合突部１７ｃの先端面と、ツメ座７の先端面、面取部７ｅおよび抜け防止部５ｄの先端面との接触を防止することが可能になる。また、抜け防止部５ｄと雄金具３との接触抵抗を低減することができる。そのため、雄金具３への雌金具２の差込時に生じうる係合突部１７ｃの先端面等の傷の発生を抑制することが可能になる。
【００４６】
本形態では、傾斜面５ｅの先端の内径Ｄ１は、ツメ座７の内径Ｄ２と略等しくなっている。そのため、本形態では、締め輪６の円環部６ｂと抜け防止部５ｄの先端面との間に配置されるツメ座７を、抜け防止部５ｄの先端面で安定して保持することが可能になる。
【００４７】
本形態では、抜け防止部５ｄの内周側の一部は、円筒面５ｆとなっている。したがって、結合状態の雄金具３や雌金具２に、図２のＶ方向の曲げモーメントが働いても、図６の点線で示すように、係合突部１７ｃの外周面が円筒面５ｆに当接するため、雌金具２に対して雄金具３が曲がりにくくなる。その結果、本形態では、雄金具３への雌金具２の差込が容易でありながら、結合状態の雄金具３や雌金具２に曲げ荷重が働いたときの水漏れを防止することが可能になり、結合金具１の耐圧性を確保することが可能になる。
【００４８】
本形態では、雌金具２の軸方向における傾斜面５ｅの幅は、雌金具２の軸方向における円筒面５ｆの幅よりも広くなっている。そのため、抜け防止部５ｄの内周側に円筒面５ｆが形成されている場合であっても、上述のように、傾斜面５ｅの傾斜角度θを比較的緩やかにすることができる。したがって、本形態では、雄金具３への雌金具２の差込時に、傾斜面５ｅで雄金具３が引っ掛かりにくくなり、雄金具３への雌金具２の差込をより容易に行うことが可能になる。
【００４９】
なお、本発明者の検討によると、係合突部１７ｃの外周面が雄金具３の軸方向と略平行である場合には、雄金具３への雌金具２の差込時に、傾斜面５ｅで雄金具３が引っ掛かりにくくするためには、傾斜角度θは、以下のように設定されていることが好ましい。
呼称４０の結合金具１の傾斜角度θ＝０．５°〜１．５°
呼称５０の結合金具１の傾斜角度θ＝３°〜５°
呼称６５の結合金具１の傾斜角度θ＝８°〜１０°
呼称７５の結合金具１の傾斜角度θ＝６°〜８°
【００５０】
（他の実施の形態）
上述した形態では、抜け防止部５ｄの内周面は、傾斜面５ｅと円筒面５ｆとによって構成されているが、図７（Ａ）に示すように、抜け防止部５ｄは、傾斜面５ｇのみによって構成されても良い。この場合には、たとえば、傾斜面５ｇは、抜け防止部５ｄの先端から基端までの間でその内径が次第に小さくなる略円錐台状に形成される。また、傾斜面５ｇの先端の内径Ｄ１１は、ツメ座７の内径Ｄ２と略等しく、傾斜面５ｇの基端の内径Ｄ１３は、ツメ座７の内径Ｄ２よりも小さくなっている。なお、抜け防止部５ｄの内周面は、傾斜角度が互いに異なる２個の傾斜面によって構成されても良い。
【００５１】
上述した形態では、傾斜面５ｅは、略円錐台状に形成されているが、図７（Ｂ）に示すように、傾斜面５ｈは、抜け防止部５ｄの先端から基端側に向かってその内径が小さくなる凸曲面状に形成されても良い。この場合には、抜け防止部５ｄの内周面は、図７（Ｂ）に示すように、傾斜面５ｈと円筒面５ｆとによって構成されても良いし、傾斜面５ｈのみによって構成されても良い。
【００５２】
上述した形態では、傾斜面５ｅの先端の内径Ｄ１は、ツメ座７の内径Ｄ２と略等しくなっているが、内径Ｄ１は、内径Ｄ２より大きくても良い。内径Ｄ１が内径Ｄ２よりも大きい場合には、受け金具５の軸心とツメ座７の軸心とがずれた状態で雌金具２が組み立てられた場合であっても、雄金具３への雌金具２の差込時の、係合突部１７ｃの先端面と抜け防止部５ｄの先端面との接触を防止することが可能になる。なお、上述した形態においては、内径Ｄ１は、内径Ｄ２と略等しくなっていれば良く、内径Ｄ１は、内径Ｄ２よりわずかに小さくても良い。
【００５３】
上述した形態では、円環部６ｂの内径Ｄ４は、ツメ座７の内径Ｄ２と略等しくなっているが、内径Ｄ４は、内径Ｄ２より小さくても良い。なお、内径Ｄ４は、内径Ｄ２より大きくても良い。
【００５４】
上述した形態では、傾斜面５ｅは、抜け防止部５ｄの先端から基端側に向かって形成されているが、抜け防止部５ｄの先端からその内径が略一定な円筒面が形成され、この円筒面の基端に繋がるように基端側に向かって傾斜面５ｅが形成されても良い。この場合には、たとえば、傾斜面５ｅの先端の内径は、ツメ座７の内径Ｄ２以上となっている。
【００５５】
上述した形態では、係合突部１７ｃの外周面は、雄金具３の軸方向と略平行になっているが、係合突部１７ｃの先端側の外周面は、雄金具３の軸方向に対して傾斜するテーパ状に形成されても良い。この場合であっても、雌金具２の軸方向に対する傾斜面５ｅの傾斜角度θは、係合突部１７ｃの先端側の外周面の雄金具３の軸方向に対する傾斜角度よりも大きくなっている。
【符号の説明】
【００５６】
１  結合金具（消防用ホース結合金具）
２  雌金具
３  雄金具
５  受け金具
５ｃ  シール配置部
５ｄ  抜け防止部
５ｅ、５ｇ、５ｈ  傾斜面
５ｆ  円筒面
６  締め輪
６ａ  筒部
６ｂ  円環部（差込部）
７  ツメ座
８  結合ツメ
１１  Ｕパッキン（シール部材）
Ｄ１、Ｄ１１  傾斜面の先端の内径
Ｄ２  ツメ座の内径
Ｄ３  円筒面の内径（傾斜面の基端の内径）
Ｄ４  円環部の内径（差込部の内径）
Ｄ１３  傾斜面の基端の内径
Ｈ  消防用ホース
θ  傾斜面の傾斜角度
【図１】
0005534954.tif 000002
【図２】
0005534954.tif 000003
【図３】
0005534954.tif 000004
【図４】
0005534954.tif 000005
【図５】
0005534954.tif 000006
【図６】
0005534954.tif 000007
【図７】
0005534954.tif 000008